(57)【要約】【課題】排水口にヘアキャッチャーを設けても流れを妨げない洗面ボールの排水構造を提供する。【解決手段】排水口１０内にヘアキャッチャー２を設けた洗面ボール１の排水構造において、水流路を流れる水がヘアキャッチャー２を通過した後に水中に含まれるエア溜まりＡを抜くためのエア抜き路３の吸込口３０をヘアキャッチャー２の下方近傍に設けた。【選択図】        図１
2004324120.tif 000002
【特許請求の範囲】
【請求項１】
排水口内にヘアキャッチャーを設けた洗面ボールの排水構造において、水流路を流れる水がヘアキャッチャーを通過した後に水中に含まれるエア溜まりを抜くためのエア抜き路の吸込口をヘアキャッチャーの下方近傍に設けて成ることを特徴とする洗面ボールの排水構造。
【請求項２】
洗面ボールの下端部に排水口を形成するための排水用孔部を貫通すると共に該排水用孔部に略筒状をした排水口金具を配置して排水口を形成し、排水口金具の内部の途中にヘアキャッチャーの下端部が位置する洗面ボールの排水構造において、排水口金具の前記ヘアキャッチャーの下端部の下方近傍にエア抜き路の吸込口を設けて成ることを特徴とする洗面ボールの排水構造。
【請求項３】
洗面ボールの排水口内にヘアキャッチャーを設け、洗面ボールのオーバーフロー路の吐出口が排水口内のヘアキャッチャーの下端部の上方に連通する洗面ボールの排水構造において、水流路を流れる水がヘアキャッチャーを通過した後に水中に含まれるエア溜まりを抜くためのエア抜き路の吸込口をヘアキャッチャーの下端部の下方近傍に設けて成ることを特徴とする洗面ボールの排水構造。
【請求項４】
排水口の下流側に接続される排水管のトラップ構造より上方部分にエア抜き路の吸込口を設けて成ることを特徴とする請求項１乃至３のいずれかに記載の洗面ボールの排水構造。
【発明の詳細な説明】
【０００１】
【発明の属する技術分野】
本発明は、洗面ボールの排水構造に関するものである。
【０００２】
【従来の技術】
洗面ボールの排水構造は従来より一般的に、図４（ａ）に示すように、洗面ボール１のボール部１１の下端部に排水口１０を形成し、この排水口１０内に水とともに流れ込む髪の毛やごみ等の異物を受けるヘアキャッチャー２を設けるものである（例えば特許文献１，特許文献２参照）。ヘアキャッチャー２は、図４（ｂ）に示すように、排水口１０の内壁に沿った外郭形状をした網部２１を下端部に有し、前記網部２１から上方に向けて把持部２２を突設してあり、この把持部２２を摘まんで排水口１０から上方に取り外し自在となっている。
【０００３】
ところで、このようなヘアキャッチャー２を設けた洗面ボール１にあっては、排水口１０に流れ込んだ水がヘアキャッチャー２の下端部の網部２１を通過するのであるが、この際に網部２１によって水中にエアが含まれてヘアキャッチャー２の下方でエア溜まりＡが発生してしまい、水の流れが悪くなるものであった。
【０００４】
【特許文献１】
特開２００２−２３５３５３号公報
【特許文献２】
特開２００１−１２０９２２号公報
【０００５】
【発明が解決しようとする課題】
本発明は上記の点に鑑みて発明したものであって、その目的とするところは、排水口にヘアキャッチャーを設けても流れを妨げない洗面ボールの排水構造を提供することを課題とするものである。
【０００６】
【課題を解決するための手段】
上記課題を解決するために本発明の洗面ボールの排水構造にあっては、排水口１０内にヘアキャッチャー２を設けた洗面ボール１の排水構造において、水流路を流れる水がヘアキャッチャー２を通過した後に水中に含まれるエア溜まりＡを抜くためのエア抜き路３の吸込口３０をヘアキャッチャー２の下方近傍に設けて成ることを特徴とするものである。このような構成とすることで、ヘアキャッチャー２を通過した水の中に含まれるエア溜まりＡが吸込口３０及びエア抜き路３を介してエア抜きされ、ヘアキャッチャー２によって流れ妨げられるのを防止することができる。
【０００７】
また、本発明の洗面ボールの排水構造にあっては、洗面ボール１の下端部に排水口１０を形成するための排水用孔部１３を貫通すると共に該排水用孔部１３に略筒状をした排水口金具４を配置して排水口１０を形成し、排水口金具４の内部の途中にヘアキャッチャー２の下端部が位置する洗面ボールの排水構造において、排水口金具４の前記ヘアキャッチャー２の下端部の下方近傍にエア抜き路３の吸込口３０を設けて成ることを特徴とするものである。このような構成とすることで、排水口金具４を用いて形成される排水口１０に容易にエア抜き路３の吸込口３０を形成することができる。
【０００８】
また、本発明の洗面ボールの排水構造にあっては、洗面ボール１の排水口１０内にヘアキャッチャー２を設け、洗面ボール１のオーバーフロー路６の吐出口６０が排水口１０内のヘアキャッチャー２の下端部の上方に連通する洗面ボール１の排水構造において、水流路を流れる水がヘアキャッチャー２を通過した後に水中に含まれるエア溜まりＡを抜くためのエア抜き路３の吸込口３０をヘアキャッチャー２の下端部の下方近傍に設けて成ることを特徴とするものである。このような構成とすることで、オーバーフロー路６が設けてある洗面ボール１であってもエア抜き路３の吸込口３０を形成することができる。
【０００９】
また、排水口１０の下流側に接続される排水管５のトラップ構造より上方部分にエア抜き路３の吸込口３０を設けることが好ましい。このような構成とすることで、洗面ボール１内部にエア抜き路３を形成する必要がなく、既存の洗面ボール１を用いることができる。
【００１０】
【発明の実施の形態】
本発明を添付図面に示す実施形態に基づいて説明する。
【００１１】
洗面ボール１は、図３に示すように、上方に開口したボール部１１と、ボール部１１の上端開口縁から連設される略水平な台部１２とで構成される。ボール部１１の下端部には排水口１０が形成される。本実施形態では、ボール部１１の下端部に排水口１０を形成するための排水用孔部１３を貫通形成し、この排水用孔部１３に略筒状をした排水口金具４を取付けて排水口１０を形成している。排水口金具４は、略筒状をして上端開口縁において上方程大径となるように傾斜したテーパ部４１となり、また、外表面の下半部に雄ねじを螺設している。一方、ボール部１１の排水用孔部１３の上端部は、上方程大径となるテーパ面１３ａを形成しており、排水口金具４を上方から排水用孔部１３に挿入してテーパ部４１をテーパ面１３ａにパッキンＰ１を介して当接させる。そして、排水口金具４の外表面の雄ねじに下方よりナットＮを螺合してこのナットＮをパッキンＰ２を介してボール部１１の下面に締め付けて、排水口金具４をボール部１１に固定する。
【００１２】
排水口金具４の内部には、載置片４２が内壁に突設してあって、ヘアキャッチャー２が載置される。ヘアキャッチャー２は、下端部が排水口金具４の内壁に沿う外郭形状をした網部２１となってこの網部２１が前記載置片４２に載置され、また、この網部２１から把持部２２が上方に突設され、この把持部２２を摘まんで上方に持ち上げることで自在に取り外すことができる。
【００１３】
また、排水口金具４には、オーバーフロー路６とエア抜き路３の端部が接続される開口がそれぞれ形成してある。ここで、オーバーフロー路６は、ボール部１１の内側面の上端部に流入口（図示せず）が形成されると共に流路本体はボール部１１の外面に沿って一体的に形成され、オーバーフロー路６の流路本体の下流端の開口１４は排水用孔部１３の側面に形成してある。そして、排水口金具４の前記オーバーフロー路６の流路本体の下流端の開口１４に対応する位置は上記載置片４２よりも上方位置であり、この位置にオーバーフロー路用開口４３が穿設してあり、排水口金具４をボール部１１の排水用孔部１３に取付けた時にこのオーバーフロー路用開口４３が前記流路本体の下流端の開口１４と合致して吐出口６０となり、オーバーフロー路６からの水が排水口金具４内に吐出される。
【００１４】
また、ボール部１１には、エア抜き路３が形成してある。エア抜き路３は、上端となる外気への連通口３１が上記オーバーフロー路６の流入口よりも上方位置（本実施形態では洗面ボール１の台部１２）に形成してあり、本体経路３２はボール部１１内に形成してあり、本体経路３２の下端となる吸込側開口１５が排水用孔部１３の側面に形成してある。そして、排水口金具４の吸込側開口１５に対応する前記載置片４２よりも下方位置に、エア抜き路用開口４４が穿設してあり、排水口金具４をボール部１１の排水用孔部１３に取付けた時にこのエア抜き路用開口４４が前記吸込側開口１５と合致して吸込口３０となり、排水口金具４内のエア溜まりＡが吸込口３０からエア抜き路３に吸込まれる。このようにすることで、ヘアキャッチャー２を通過した水の中に含まれるエア溜まりＡが吸込口３０及びエア抜き路３を介してエア抜きされ、ヘアキャッチャー２によって流れ妨げられるのを防止することができる。また、洗面ボール１の下端部に排水口１０を形成するための排水用孔部１３を貫通すると共に該排水用孔部１３に略筒状をした排水口金具４を配置して排水口１０を形成し、この排水口金具４の前記ヘアキャッチャー２の下端部の下方近傍にエア抜き路３の吸込口３０を設けたことで、排水口金具４を用いて形成される排水口１０に容易にエア抜き路３の吸込口３０を形成することができる。また、オーバーフロー路６が設けてある洗面ボール１であっても、オーバーフロー路６はその吐出口５０がヘアキャッチャー２の上方に形成してあるため、ヘアキャッチャー２の下方に吸込口３０を有するエア抜き路３を形成することができる。
【００１５】
次に、他の実施形態について図２に基づいて説明する。図１に示す上実施形態と同じ構成については同一符号を付して説明を省略する。本実施形態は、排水口金具４の下方の排水管５に開口５０を形成してこの開口５０に接続栓５１を取付け、ホース３ａからなるエア抜き路３を前記接続栓５１に接続してある。このようにすることで、洗面ボール１内部にエア抜き路３を形成する必要がなく、既存の洗面ボール１を用いることができる。
【００１６】
【発明の効果】
上述のように請求項１記載の発明にあっては、排水口内にヘアキャッチャーを設けた洗面ボールの排水構造において、水流路を流れる水がヘアキャッチャーを通過した後に水中に含まれるエア溜まりを抜くためのエア抜き路の吸込口をヘアキャッチャーの下方近傍に設けたので、ヘアキャッチャーを通過した水の中に含まれるエア溜まりが吸込口及びエア抜き路を介してエア抜きされ、ヘアキャッチャーによって流れ妨げられるのを防止することができる。
【００１７】
また請求項２記載の発明にあっては、洗面ボールの下端部に排水口を形成するための排水用孔部を貫通すると共に該排水用孔部に略筒状をした排水口金具を配置して排水口を形成し、排水口金具の内部の途中にヘアキャッチャーの下端部が位置する洗面ボールの排水構造において、排水口金具の前記ヘアキャッチャーの下端部の下方近傍にエア抜き路の吸込口を設けたので、排水口金具を用いて形成される排水口に容易にエア抜き路の吸込口を形成することができる。
【００１８】
また請求項３記載の発明にあっては、洗面ボールの排水口内にヘアキャッチャーを設け、洗面ボールのオーバーフロー部の吐出口が排水口内のヘアキャッチャーの下端部の上方に連通する洗面ボールの排水構造において、水流路を流れる水がヘアキャッチャーを通過した後に水中に含まれるエア溜まりを抜くためのエア抜き路の吸込口をヘアキャッチャーの下端部の下方近傍に設けたので、オーバーフロー路が設けてある洗面ボールであってもエア抜き路の吸込口を形成することができる。
【００１９】
また請求項４記載の発明にあっては、請求項１乃至３のいずれかに記載の発明の効果に加えて、排水口の下流側に接続される排水管のトラップ構造より上方部分にエア抜き路の吸込口を設けたので、洗面ボール内部にエア抜き路を形成する必要がなく、既存の洗面ボールを用いることができる。
【図面の簡単な説明】
【図１】本発明の一実施形態の要部断面図である。
【図２】他の実施形態の要部断面図である。
【図３】同上の全体斜視図である。
【図４】従来の洗面ボールの要部断面図である。
【符号の説明】
１  洗面ボール
１０  排水口
２  ヘアキャッチャー
３  エア抜き路
３０  吸込口
Ａ  エア溜まり
【図１】
2004324120.tif 000003
【図２】
2004324120.tif 000004
【図３】
2004324120.tif 000005
【図４】
2004324120.tif 000006